(57)【要約】【課題】  発信者情報通知サービスに対応した通信端末装置において、発信者情報の受信後に受信する着信信号に応じて適切な受信処理を行う。【解決手段】  着信検出部７は、回線制御部２が電話回線から受信した着信信号（呼出信号、情報受信端末起動信号等）を検出し、主制御部１及びカウンタ１８へ送る。データ復調部８は、回線制御部２で受信されたモデム信号から発信者情報を復調し、主制御部１へ送る。極性反転検出部１７ａは電話回線の極性反転を検出し、主制御部１へ通知する。主制御部１は、電話回線の極性反転が検出された状態において最初の着信信号を情報受信端末起動信号と判別し、二番目の着信信号を呼出信号と判別する。着信信号が呼出信号のときに呼出音出力部１２で着信鳴動を行うと共に表示部１４で発信者情報を表示する。【選択図】          図１
2006108820.tif 000002
【特許請求の範囲】
【請求項１】
発信の開始時に電話回線の極性を反転し、起動信号、発信者情報信号、及び呼出信号を送出し、発信元の発信中止により電話回線の極性を復極する交換機に接続される外線を収容する通信端末装置であって、
前記電話回線の極性の反転を検出する極性反転検出手段と、前記極性反転検出手段により前記極性の反転が検出されているときに受信した信号の受信回数をカウントするカウント手段と、前記カウント手段のカウント値が所定値に達したときのみ着信鳴動を行う手段とを備えたことを特徴とする通信端末装置。
【請求項２】
発信の開始時に電話回線の極性を反転し、起動信号、発信者情報信号、及び呼出信号を送出し、発信元の発信中止により電話回線の極性を復極する交換機に接続される外線を収容する通信端末装置であって、
前記電話回線の極性が反転前の状態であること又は該状態に復帰したことを検出する極性復極検出手段と、前記極性復極検出手段により前記の極性が反転前の状態であること又は該状態に復帰したことが検出されたときから受信した信号の受信回数をカウントするカウント手段と、前記カウント手段のカウント値が所定値に達したときのみ着信鳴動を行う手段とを備えたことを特徴とする通信端末装置。
【請求項３】
請求項１又は２記載の通信端末装置において、前記カウント手段は、受信した信号の内、前記起動信号及び呼出信号のみをカウントすることを特徴とする通信端末装置。
【発明の詳細な説明】
【技術分野】
【０００１】
本発明は電話装置等の通信端末装置に関し、特にアナログ電話回線における発信者情報通知サービス等の付加サービスに対応する通信端末装置に関する。
【背景技術】
【０００２】
アナログ電話回線を用いて提供される付加サービスとして、発信者情報通知サービスが実施されている。発信者情報通知サービスとは、このサービスの契約者に対する発呼があった場合、呼出前に発信者情報（発信者の電話番号等の情報）を、加入者線交換機が電話回線を通して、契約者の発信者情報通知サービス対応電話装置へ送信し、発信者情報を表示させるサービスである。
【０００３】
発信者情報通知サービスを行う場合、図６に示されているように、加入者線交換機は、発信者から発呼を受けると、発呼先の通信端末（以下、着信端末という）に接続されている電話回線の極性を反転（手順Ｓ３１）して着信動作の開始を通知し、次に図７（ａ）に示されている情報受信端末起動信号（ＣＡＲ）を着信端末へ送信する（手順Ｓ３２）。着信端末は情報受信端末起動信号を検出し、回線を閉結することにより加入者線交換機へ一次応答信号を送信する（手順Ｓ３３）。加入者線交換機はこの一次応答信号を検出し、発信者情報をモデム信号に変換して着信端末へ送信する（手順Ｓ３４）。着信端末がこの発信者情報の受信を完了すると、回線を開放することにより加入者線交換機に対して発信者情報の受信が完了したこと（受信完了信号）を通知する（手順Ｓ３５）。加入者線交換機はこの受信完了信号を検出すると、図７（ｂ）に示されている呼出信号を着信端末へ送信する（手順Ｓ３６）。着信端末では、着信鳴動を行うと共に先に受信した発信者情報を表示する（手順Ｓ３７）。着信端末のユーザがハンドセットを取り上げてオフフックすると、着信端末は電話回線を閉結することにより加入者線交換機へ二次応答信号を送信する。加入者線交換機はこの二次応答信号を検出すると、着信端末に接続されている電話回線の極性を反転前の極性に復極する（手順Ｓ３８）と共に、発信者と着信端末との間を通話状態にする（手順Ｓ３９）（特許文献１参照）。
【特許文献１】特開平８−２６１３３５号公報（図８）
【発明の開示】
【発明が解決しようとする課題】
【０００４】
前記従来の発信者情報通知サービス対応電話装置において、着信端末が発信者情報の受信を完了し、回線を開放した後に、発呼者が発呼を放棄した直後に他の発呼者がその着信端末に対して接続要求を行った場合、加入者線交換機は発呼の放棄を検出して電話回線の極性を復極（反転前の状態に戻す）し、次に、前述したように、着信端末に接続されている電話回線の極性を反転させ、情報受信端末起動信号を着信端末へ送信する。
【０００５】
ところが、従来の発信者情報通知サービス対応通信端末は、図７（ａ）に示されている情報受信端末起動信号又は図７（ｂ）に示されている呼出信号が着信したとき、先頭のオン期間の存在を検出して着信検出を行うだけで２種類の信号の識別は行わず、アイドル状態から極性反転（手順Ｓ３１）した後最初に受信した着信信号を情報受信端末起動信号と判定し、発信者情報を受信して回線を開放（手順Ｓ３５）した後に受信した着信信号信号を呼出信号と判定しているため、回線を開放した後に情報受信端末起動信号が着信した場合は誤って着信鳴動を行ってしまう。このとき、着信端末のユーザが受話器に耳を当てた場合に聞こえるのはモデム信号であるから、着信端末のユーザは受話器を耳に当てた時点で初めて呼出でなかったことに気付くことになる。また、着信鳴動時に着信端末で表示されている発信者情報は既に発呼を放棄した発信者のものであり、正しい発信者情報を表示することができない。
【０００６】
本発明は、このような問題を解決するためになされたものであり、その目的は、発信者情報通知サービスに対応した通信端末装置において、発信者情報の受信後に適正な着信鳴動を行うことである。
【課題を解決するための手段】
【０００７】
請求項１に係る発明は、発信の開始時に電話回線の極性を反転し、起動信号、発信者情報信号、呼出信号を送出し、発信元の発信中止により電話回線の極性を復極する交換機に接続される外線を収容する通信端末装置であって、前記電話回線の極性の反転を検出する極性反転検出手段と、前記極性反転検出手段により前記極性の反転が検出されているときに受信した信号の受信回数をカウントするカウント手段と、前記カウント手段のカウント値が所定値に達したときのみ着信鳴動を行う手段とを備えたことを特徴とする通信端末装置である。
請求項２に係る発明は、発信の開始時に電話回線の極性を反転し、起動信号、発信者情報信号、呼出信号を送出し、発信元の発信中止により電話回線の極性を復極する交換機に接続される外線を収容する通信端末装置であって、前記電話回線の極性が反転前の状態であること又は該状態に復帰したことを検出する極性復極検出手段と、前記極性復極検出手段により前記の極性が反転前の状態であること又は該状態に復帰したことが検出されたときから受信した信号の受信回数をカウントするカウント手段と、前記カウント手段のカウント値が所定値に達したときのみ着信鳴動を行う手段とを備えたことを特徴とする通信端末装置である。
請求項３に係る発明は、請求項１又は２記載の通信端末装置において、前記カウント手段は、受信した信号の内、前記起動信号及び呼出信号のみをカウントすることを特徴とする通信端末装置である。
【発明の効果】
【０００８】
本発明によれば、発信者情報の受信後に発信元が発信を中止した場合は電話回線の極性が反転前の状態に戻るので、カウント手段は発信者情報の受信前のカウント値をクリアする。従って、その直後に起動信号を受信したときカウント値は所定値に達していないから、着信鳴動を行はない。
【発明を実施するための最良の形態】
【０００９】
以下、本発明の実施形態について図面を参照して説明する。
［第１の実施形態］
図１に示されているように、本実施形態に係る電話装置は、この装置全体の制御等を行うマイクロコンピュータ（以下、マイコンという）で構成された主制御部１と、電話回線に接続され、電話回線の接続制御等を行う回線制御部２と、回線制御部２に接続され、ハンドセット４、スピーカ５、及びマイクロホン（以下、マイクという）６との間の音声信号経路の切り替え等を行う音声経路制御部３と、回線制御部２に接続された着信検出部７、データ復調部８、フック状態検出部９、及び極性反転検出部１７ａを備えている。
【００１０】
ここで、音声経路制御部３は主制御部１により制御されており、例えばハンドセット４が取り上げられているときは回線制御部２とハンドセット４との間に音声信号経路が設定され、後述するキー入力部１１のオンフックキーが押された場合には回線制御部２とスピーカ５及びマイク６との間に音声信号経路が設定される。着信検出部７は、回線制御部２が電話回線から受信した着信信号（呼出信号、情報受信端末起動等）を検出し、主制御部１及び後述するカウンタ１８へ通知する。データ復調部８は回線制御部２で受信したモデム信号を復調し、主制御部１へ送る。フック状態検出部９は、ハンドセット４のフック状態を検出し、検出結果を主制御部１へ通知する。極性反転検出部１７ａは電話回線（Ｌ１，Ｌ２）の極性反転、即ちＬ１がマイナス、Ｌ２がプラスの初期状態からＬ１がプラス、Ｌ２がマイナスの状態に変化したことを検出し、検出結果を主制御部１へ通知する。
【００１１】
また、この電話装置は、それぞれが主制御部１に接続された直流ループ形成部１０、キー入力部１１、呼出音出力部１２、着信表示部１３、表示部１４、不揮発性メモリ１５、タイマ１６、及びカウンタ１８を備えている。ここで、タイマ１６は主制御部１が各種処理を実行するときに時間を測定するために使用され、カウンタ１８は着信信号の受信回数をカウントするために使用される。
【００１２】
直流ループ形成部１０は、フック状態検出部９がハンドセット４のオフフックを検出しているとき、及び着信検出部７が検出した信号が図７（ａ）に示されている情報受信端末起動信号であると主制御部１が判定したときに、回線制御部２に設けられているスイッチ（図示せず）を閉じることにより加入者線交換機との間の電話回線に直流ループを形成して、電話回線を閉結する。キー入力部１１は、テンキー、オンフックキー等を備えており、主制御部１にユーザの操作指令を入力するために用いられる。呼出音出力部１２は、着信検出部７が検出した信号が図７（ｂ）に示されている呼出信号であると主制御部１が判定したときに、主制御部１の制御により呼出音を出力する。着信表示部１３はＬＥＤ（発光ダイオード）を備えており、主制御部１の制御により呼出音を出力と同様に着信表示を行う。表示部１４は、液晶表示装置からなり、この電話装置の動作状態、キー入力部１１から入力された情報等を主制御部１に制御に基づいて表示する。不揮発性メモリ１５は短縮ダイヤル番号等のようなユーザが設定したデータを保存しておくための記憶手段である。
【００１３】
次に、図２〜５を参照しながら、本実施形態に係る電話装置の動作について、〔１〕モデム信号受信後の着信信号が呼出信号（二次着信信号）であった場合（図２）、〔２〕モデム信号受信後の着信信号が情報受信端末起動信号（一次着信信号）であった場合（図３）、〔３〕モデム信号受信後の着信がなかった場合（図４）、の順番で説明する。これらの図における「電話装置」は図１の構成を備えた発信者情報通知サービス対応の電話装置であり、そのユーザは発信者情報通知サービスを契約しているものとする。
【００１４】
〔１〕モデム信号受信後の着信信号が呼出信号（二次着信信号）であった場合（図２）
これは図６と同様な通常の動作シーケンスである。まず、発信者が電話装置に対して発呼すると（手順Ｓ１）、加入者線交換機（以下、交換機と略す）は、その発呼先の電話装置（以下、着信側電話装置という）が接続されている電話回線の極性を反転して（手順Ｓ２）着信動作の開始を通知し、次に図７（ａ）に示されている情報受信端末起動信号を着信側電話装置へ送信する（手順Ｓ３）。着信側電話装置では、極性の反転が極性反転検出部１７ａにより検出され、主制御部１へ通知される。主制御部１は、極性の反転を通知されるとカウンタ１８のカウント値を０にリセットする。また、情報受信端末起動信号は着信検出部７により検出される。このとき、着信検出部７は情報受信端末起動信号の先頭のオン期間の存在を検出することで着信信号があったことを主制御部１に通知すると共にカウンタ１８へ出力する。カウンタ１８の値は着信検出部７の出力により”１”にインクリメントされる。主制御部１は、カウンタ１８の値を参照することで、今回の着信信号が初期状態（アイドル状態）から極性反転した状態での最初の着信信号であることから、それが情報受信端末起動信号であると判別すると、直流ループ形成部１０に対して直流ループの形成を指示する。直流ループ形成部１０は、回線制御部２に設けられているスイッチを操作して直流ループを形成し、電話回線を閉結することにより一次応答信号を送信する（手順Ｓ４）。
【００１５】
交換機はこの一次応答信号を検出すると、発信者の発信者情報をモデム信号に変換して着信側電話装置へ送信する（手順Ｓ５）。着信側電話装置では、発信者情報がデータ復調部８で復調され、主制御部１へ送られる。主制御部１は、受け取った発信者情報を内部のＲＡＭ（図示せず）に記憶する。また、主制御部１は、データ復調部８から発信者情報を受け取ったときに発信者情報の受信が完了したものと判断し、直流ループ形成部１０に対して直流ループの切断を指示すると共にタイマ１６のカウントを開始させる。直流ループ形成部１０は、回線制御部２に設けられているスイッチを操作して直流ループを切断し、電話回線を開放する（手順Ｓ６）。タイマ１６は、予め設定された一定時間のカウントが終了するとカウント終了信号を生成して主制御部１へ出力するが、通常はカウント終了前に着信検出部７で次の着信信号が検出され、その検出に基づいて主制御部１によりクリアされる。
【００１６】
交換機はこの受信完了信号を検出すると、図７（ｂ）に示されている呼出信号を着信側電話装置へ送信する（手順Ｓ７）と共に発信者にＲＢＴ（リングバックトーン）を送信する。着信側電話装置では、呼出信号が着信検出部７により検出される。このとき、着信検出部７は呼出信号の先頭のオン期間の存在を検出することで着信信号があったことを主制御部１に通知すると共にカウンタ１８へ出力する。カウンタ１８の値は着信検出部７の出力により”２”にインクリメントされる。主制御部１は、カウンタ１８の値を参照することで、今回の着信信号が極性反転した状態での二番目の着信信号であることから、それが呼出信号であると判別すると、そのカウント値をクリアさせると共にタイマ１６のカウントを停止させ、カウント値をクリアする。また、着信音出力部１２に対し着信音の出力を指示すると共に着信表示部１３に対し着信表示パターンを発光するように指示する。さらに、先にＲＡＭに記憶しておいた発信者情報を表示部１４へ送り、表示させる。なお、着信音のパターン及び着信表示のパターンは予め不揮発性メモリ１５等に格納されている。
【００１７】
着信側電話装置のユーザは、呼出音を聞くことで着信中であることを知り、表示部１４に表示されている発信者情報を見ることで、発信者を確認できる。着信側電話装置のユーザがハンドセット４を取り上げると、フック状態検出部９によりオフフックが検出され、主制御部１に通知されるので、主制御部１は直流ループ形成部１０に対して直流ループの形成を指示する。直流ループ形成部１０は、直流ループを形成し、電話回線を閉結することにより二次応答信号を送信する（手順Ｓ８）。交換機はこの二次応答信号を検出すると、着信側電話装置に接続されている電話回線の極性を復極する（手順Ｓ９）と共に、発信者と着信側電話装置との間を通話状態にする（手順Ｓ１０）。
【００１８】
〔２〕モデム信号受信後の着信が情報受信端末起動信号（一次着信信号）であった場合（図３）
このシーケンスは、着信側電話装置がモデム信号を受信した後に、発信者Ａが発呼を放棄してしまい、その直後に別の発信者Ｂがその着信側電話装置に発呼した場合のものである。このシーケンスにおいて、発信者Ａが発呼を行ってから（手順Ｓ１）、着信側電話装置がモデム信号の受信を完了して直流ループを切断するまで（手順Ｓ６）は図２と同じである。
【００１９】
発信者Ａが発呼を放棄した（手順Ｓ１１）タイミングが図３に示されているように、交換機が着信側電話装置からモデム信号の受信完了信号（直流ループ切断）を受信した（手順Ｓ６）直後であったとする。発信者Ａが発呼を放棄したことで、そのハンドセットがオンフック状態になると、発信者Ａと交換機との間の直流ループが切断されるため、交換機では発呼が放棄されたと判断し、着信側電話装置との間の電話回線の極性を復極する（手順Ｓ１２）。
【００２０】
その直後に別の発信者Ｂが発信者Ａの発呼先と同じ相手に発呼する（手順Ｓ１３）と、交換機は、その着信側電話装置が接続されている電話回線の極性を反転する（手順Ｓ１４）と共に図７（ａ）に示されている情報受信端末起動信号を着信側電話装置へ送信する（手順Ｓ１５）。着信側電話装置では、極性の反転が極性反転検出部１７ａにより検出され、主制御部１へ通知される。また、情報受信端末起動信号は着信検出部７で検出され、主制御部１へ通知される。主制御部１は、手順Ｓ２の極性反転時と同様にカウンタ１８をリセットする。また、主制御部１は、手順Ｓ３の情報受信端末起動信号の受信時と同様に、着信検出部７から着信を通知されたときにカウンタ１８の値を参照することで、今回の着信信号が極性反転後の最初の着信信号であることから、それが情報受信端末起動信号であると判別すると、直流ループ形成部１０に対して直流ループの形成を指示する。直流ループ形成部１０は、回線制御部２に設けられているスイッチを操作して直流ループを形成し、電話回線を閉結することにより一次応答信号を送信する（手順Ｓ１６）。以後のシーケンスは図２の手順Ｓ５以降と同じである。
【００２１】
ここで、従来装置の場合、初期状態の時から数えて最初の着信信号を情報受信端末起動信号と判定し、モデム信号を受信し、電話回線を閉結した次に受信した着信信号を呼出信号と判定していたため、発信者Ａが発呼を放棄した直後に別の発信者Ｂが発信者Ａの発呼先と同じ相手に発呼した場合は、受信端末起動信号を呼出信号と誤って判定し、着信鳴動及び発信者情報表示を行っていたが、本実施形態では、上記の場合は極性を反転した状態における最初の着信信号であることから、受信端末起動信号であることを正しく判定し、その結果、着信鳴動及び発信者情報表示を行わないように制御する。
【００２２】
〔３〕モデム信号受信後に着信がなかった場合（図４）
このシーケンスは、着信側電話装置がモデム信号を受信した後に、発信者が発呼を放棄してしまい、その後一定時間経過してもその着信側電話装置に対する発呼がなかった場合のものである。このシーケンスにおいて、発信者が発呼を行ってから（手順Ｓ１）、発呼を放棄し、着信側電話装置との間の電話回線の極性を復極するまで（手順Ｓ１２）のシーケンスは図３と同じである。
【００２３】
図３を参照しながら説明したように、着信側電話装置では、発信者情報の受信が完了したときにタイマ１６のカウントを開始し、一定時間内に次の着信信号が検出されるとタイマ１６をクリアする。ここでは、一定時間内に次の着信信号が検出されないため、タイマ１６はカウント終了信号を生成し、主制御部１へ出力する。主制御部１は、カウント終了信号を受信すると、先にＲＡＭに記憶しておいた発信者情報を廃棄する。これにより、電話装置の状態はシーケンスの最初の状態に戻る。
【００２４】
ここで、外線捕捉禁止処理について説明する。図２のステップＳ４で発信者情報を受信するため電話回線を閉結してから、ステップＳ７で呼出信号を受信するまでの間に、着信側電話機の利用者が電話回線捕捉操作をしてしまうと、以下の（１）〜（３）のような問題が発生する。
【００２５】
（１）モデム信号受信中には、モデム信号を受信するために既に回線を捕捉している。従って、回線にノイズが入り、信号を受信できなくなる。
（２）ステップＳ６からＳ７の呼出信号検出までの間に回線を捕捉した場合には、回線を開放していることから回線を捕捉することはできる。しかしながら、交換機は、呼出信号を送出すべく回線が使用中になることから、交換機の動作に不具合が発生する。
（３）図３のステップＳ１１の発呼放棄もあるので、呼出信号の検出を待って回線捕捉を許可すると回線を捕捉できなくなる可能性もある。また、処理を簡略化するため、Ｓ４又はＳ５又はＳ６の後所定時間経過後に許可してしまうと、ステップＳ１１の発呼放棄があり、すぐに別の発信者から着信があると、タイムアップ時がモデム信号受信中になることがあり、上記（１）のような問題が発生してしまう。
【００２６】
従って、回線捕捉禁止期間は、下記（ア）、（イ）、（ウ）の何れかに設定する。
（ア）情報受信端末起動信号の検出（Ｓ３）から呼出信号の検出（Ｓ７）まで
（イ）情報受信端末起動信号の検出（Ｓ３）から呼出信号の検出（Ｓ７）まで、又はＳ４若しくはＳ５若しくはＳ６から所定時間経過後のどちらか早い方
（ウ）情報受信端末起動信号の検出（Ｓ３）から呼出信号の検出（Ｓ７）又は復極検出までの早い方
なお、この回線捕捉処理は後述する第２の実施形態についても同様に実行する。
【００２７】
［第２の実施形態］
図５は本実施形態に係る電話装置の構成を示すブロック図である。この図において、図１と同一の構成要素には図１で使用した符号を付した。本実施形態に係る電話装置は、図１に示されている電話装置における極性反転検出部１７ａに代えて極性復極検出部１７ｂを設けると共にタイマ１６を省略したものである。極性復極検出部１７ｂは、電話回線の極性が反転状態（Ｌ１がプラス、Ｌ２がマイナスの状態）からＬ１がマイナス、Ｌ２がプラスの状態に復帰したことを検出し、主制御部１へ通知する。本実施形態に係る電話装置におけるその他の構成要素の構成及び機能は図１の電話装置と同じである。
【００２８】
次に、図２〜５を参照しながら、本実施形態に係る電話装置の動作について、〔１〕モデム信号受信後の着信信号が呼出信号（二次着信信号）であった場合（図２）、〔２〕モデム信号受信後の着信信号が情報受信端末起動信号（一次着信信号）であった場合（図３）、〔３〕モデム信号受信後の着信がなかった場合（図４）、の順番で説明する。これらの図における「電話装置」は図５の構成を備えた発信者情報通知サービス対応の電話装置であり、そのユーザは発信者情報通知サービスを契約しているものとする。
【００２９】
〔１〕モデム信号受信後の着信信号が呼出信号（二次着信信号）であった場合（図２）
まず、発信者Ａが電話装置に対して発呼すると（手順Ｓ１）、交換機は、着信側電話装置が接続されている電話回線の極性を反転して（手順Ｓ２）着信動作の開始を通知し、次に図７（ａ）に示されている情報受信端末起動信号を着信側電話装置へ送信する（手順Ｓ３）。着信側電話装置では、情報受信端末起動信号が着信検出部７により検出される。このとき、着信検出部７は情報受信端末起動信号の先頭のオン期間の存在を検出することで着信信号があったことを主制御部１に通知すると共にカウンタ１８へ出力する。カウンタ１８の値は着信側電話装置がアイドル状態のときに主制御部１によりリセットされており、着信検出部７の出力により”１”にインクリメントされる。主制御部１は、カウンタ１８の値を参照することで、今回の着信信号がアイドル状態のときから数えて最初の着信信号であることから、それが情報受信端末起動信号であると判別すると、直流ループ形成部１０に対して直流ループの形成を指示する。直流ループ形成部１０は、回線制御部２に設けられているスイッチを操作して直流ループを形成し、電話回線を閉結することにより一次応答信号を送信する（手順Ｓ４）。
【００３０】
以後、交換機が呼出信号を送信する手順Ｓ７までは第１の実施形態と同じである。着信側電話装置では、呼出信号が着信検出部７により検出される。このとき、着信検出部７は呼出信号の先頭のオン期間の存在を検出することで着信信号があったことを主制御部１に通知すると共にカウンタ１８へ出力する。カウンタ１８の値は着信検出部７の出力により”２”にインクリメントされる。主制御部１は、カウンタ１８の値を参照することで、今回の着信信号が初期状態の時から数えて二番目の着信信号であることから、それが呼出信号であると判別すると、着信音出力部１２に対し着信音の出力を指示すると共に着信表示部１３に対し着信表示パターンを発光するように指示する。また、先にＲＡＭに記憶しておいた発信者情報を表示部１４へ送り、表示させる。
【００３１】
以後、着信側電話装置のユーザが応答し、交換機が着信側電話装置に接続されている電話回線の極性をＬ１がマイナス、Ｌ２がプラスの状態に復極すると共に、発呼者の電話装置（発信側電話装置）と着信側電話装置の電話装置との間を通話状態にする手順Ｓ９までは第１の実施形態と同じである。着信側電話装置では、極性復極検出部１７ｂにより復極が検出され、主制御部１へ通知される。主制御部１は、この通知を受け取ると、カウンタ１８をクリアすると共に先にＲＡＭに記憶しておいた発信者情報を廃棄する。
【００３２】
〔２〕モデム信号受信後の着信が情報受信端末起動信号（一次着信信号）であった場合（図３）
このシーケンスにおいて、発信者Ａが発呼を行ってから、着信側電話装置がモデム信号の受信を完了して直流ループを切断するまでは図２と同じである。
【００３３】
発信者Ａが発呼を放棄した（手順Ｓ１１）タイミングが図３に示されているように、交換機が着信側電話装置からモデム信号の受信完了信号（直流ループ切断）を受信した（手順Ｓ６）直後であったとする。発信者Ａが発呼を放棄したことで、そのハンドセットがオンフック状態になると、発信者Ａと交換機との間の直流ループが切断されるため、交換機では発呼が放棄されたと判断し、着信側電話装置との間の電話回線の極性を復極する（手順Ｓ１２）。着信側電話装置では、極性復極検出部１７ｂにより復極が検出され、主制御部１へ通知される。主制御部１は、この通知を受け取ると、カウンタ１８をクリアすると共に先にＲＡＭに記憶しておいた発信者情報を廃棄する。
【００３４】
その直後に別の発信者Ｂが発信者Ａの発呼先と同じ相手に発呼する（手順Ｓ１３）と、交換機は、着信側電話装置が接続されている電話回線の極性を反転して（手順Ｓ２）着信動作の開始を通知し、次に図７（ａ）に示されている情報受信端末起動信号を着信側電話装置へ送信する（手順Ｓ３）。着信側電話装置では、情報受信端末起動信号が着信検出部７で検出され、主制御部１へ通知される。主制御部１は、手順Ｓ３の情報受信端末起動信号の受信時と同様に、着信検出部７から着信を通知されたときにカウンタ１８の値を参照することで、今回の着信信号が極性復極時から数えて最初の着信信号であることから、それが情報受信端末起動信号であると判別すると、直流ループ形成部１０に対して直流ループの形成を指示する。直流ループ形成部１０は、回線制御部２に設けられているスイッチを操作して直流ループを形成し、電話回線を閉結することにより一次応答信号を送信する（手順Ｓ１６）。以後のシーケンスは図２の手順Ｓ５以降と同じである。
【００３５】
ここで、従来装置の場合、初期状態の時から数えて最初の着信信号を情報受信端末起動信号と判定し、モデム信号を受信し、電話回線を閉結した次に受信した着信信号を呼出信号と判定していたため、発信者Ａが発呼を放棄した直後に別の発信者Ｂが発信者Ａの発呼先と同じ相手に発呼した場合は、受信端末起動信号を呼出信号と誤って判定し、着信鳴動及び発信者情報表示を行っていたが、本実施形態では、上記の場合は極性を復極した時から数えて最初の着信信号であることから、受信端末起動信号であることを正しく判定し、その結果、着信鳴動及び発信者情報表示を行わないように制御する。
場合に受信端末起動信号を呼出信号と誤って判定することはない。
【００３６】
〔３〕モデム信号受信後に着信がなかった場合（図４）
このシーケンスは、着信側電話装置がモデム信号を受信した後に、発信者が発呼を放棄した場合のものである。このシーケンスにおいて、発信者が発呼を行ってから（手順Ｓ１）、発信者が発呼を放棄し、着信側電話装置との間の電話回線の極性を復極するまで（手順Ｓ１２）のシーケンスは図３と同じである。
【００３７】
着信側電話装置では、極性復極検出部１７ｂにより復極が検出され、主制御部１へ通知される。主制御部１は、この通知を受け取ると、カウンタ１８をクリアすると共に先にＲＡＭに記憶しておいた発信者情報を廃棄する。これにより、電話装置の状態はシーケンスの最初のアイドル状態に戻り、回線捕捉が可能になる。
【００３８】
なお、以上の説明では、第１の実施形態に係る電話装置は極性反転検出部１７ａを備え、第２の実施形態に係る電話装置は極性復極検出部１７ｂを備えたものとしたが、１台の電話装置に極性反転検出部１７ａ及び極性復極検出部１７ｂの双方を設け、ユーザの設定により、それらの任意の一方を動作可能に構成してもよい。また、以上の実施形態では、カウンタ１８が一次着信信号及び二次着信信号のみをカウントするように構成したが、モデム信号をもカウントするように構成してもよい。さらに、以上の実施形態は本発明を電話装置に適用した場合について説明したが、本発明は電話付ファクシミリ装置にも適用できる。
【図面の簡単な説明】
【００３９】
【図１】本発明の第１の実施形態に係る電話装置のブロック図である。
【図２】本発明の第１及び第２の実施形態に係る電話装置において、モデム信号受信後の着信が呼出信号であった場合の動作シーケンスを示す図である。
【図３】本発明の第１及び第２の実施形態に係る電話装置において、モデム信号受信後の着信が情報受信端末起動信号であった場合の動作シーケンスを示す図である。
【図４】本発明の第１及び第２の実施形態に係る電話装置において、モデム信号受信後に着信がなかった場合の動作シーケンスを示す図である。
【図５】本発明の第１の実施形態に係る電話装置のブロック図である。
【図６】発信者情報通知サービスを行う場合の動作シーケンスを示す図である。
【図７】情報受信端末起動信号及び呼出信号の波形を示す図である。
【符号の説明】
【００４０】
７・・・着信検出部、８・・・データ復調部、１０・・・直流ループ生成部、１２・・・呼出音出力部、１３・・・着信表示部、１４・・・表示部、１６・・・タイマ、１７ａ・・・極性反転検出部、１７ｂ・・・極性復極検出部、１８・・・カウンタ。
【図１】
2006108820.tif 000003
【図２】
2006108820.tif 000004
【図３】
2006108820.tif 000005
【図４】
2006108820.tif 000006
【図５】
2006108820.tif 000007
【図６】
2006108820.tif 000008
【図７】
2006108820.tif 000009